(57)【要約】【課題】スライドコアの摺動方向の長さＬに対する実質的な高さＨの比（Ｌ／Ｈ）の値が小さくなる場合であっても、ロッキングブロックに当接されることによりスライドコアが傾くことなくスムーズに摺動して確実に作動させることができる成形金型を提供する。【解決手段】成形金型は、スライドコア１と、成形時にスライドコア１を摺動させて所定の位置に位置決めするロッキングブロック３を有しており、スライドコア１とロッキングブロック３には、型閉じに伴って互いに当接される傾斜面５、６がそれぞれ形成されてなるもので、ロッキングブロック３の傾斜面６の先端部分Ｓａ２が最初にスライドコア１の傾斜面５の支持基端部１ａ近傍の部分Ｓａ１に対して当接してスライドコア１の摺動を開始させるように、スライドコア１とロッキングブロック３の傾斜面５、６に逃がし部５ａ、６ａを成形した。【選択図】    図１
2005014517.tif 000002
【特許請求の範囲】
【請求項１】
スライドコアと、該スライドコアを型開閉に伴って摺動させるためのスライド機構とを備え、
スライド機構は、成形時にスライドコアを摺動させて所定の位置に位置決めするためのロッキングブロックを有しており、スライドコアとロッキングブロックには、型閉じに伴って互いに当接される傾斜面がそれぞれ形成されてなる成形金型であって、
ロッキングブロックの傾斜面が最初にスライドコアの傾斜面の支持基端部近傍に対して当接するように、前記スライドコアとロッキングブロックを成形してなることを特徴とする成形金型。
【発明の詳細な説明】
【０００１】
【発明の属する技術分野】
本発明は、射出成形などに用いられる成形金型に関し、さらに詳しくは、アンダカット部を有する成形品などを成形するために、型開閉方向と異なる方向に摺動可能に設けられたスライドコアと、型閉じに伴ってスライドコアに当接してスライドコアを摺動させて所定の位置に位置決めするロッキングブロックと、を備えた成形金型に関するものである。
【０００２】
【従来の技術】
成形金型に関する従来の技術としては、例えば、特許文献１に開示された射出成形金型におけるスライド機構が知られている。この特許文献１には、固定側型に設けられ、金型を開く方向に向かって広がるように傾斜した案内部を有するロッキングブロックと、前記可動側型に設けられると共に前記成形用空間を形成及び広げる方向に摺動自在に設けられ、前記ロッキングブロックの案内部に摺動自在に嵌合する係合部を有するスライドコアと、からなる射出成形金型におけるスライド機構が開示されている。
【０００３】
【特許文献１】
特開平１１−１９２６４７号公報
【０００４】
このようなロッキングブロックを有するスライド機構は、一般に、スライドコアのストロークが比較的小さく、また、スライド機構のためのスペースが比較的小さい成形金型によく採用されている。そして、従来の一般的なスライド機構は、図６に示すように、スライドコア１’とロッキングブロック３’の傾斜面５’、６’が平面的に形成されて、型閉じに伴ってロッキングブロック３’の傾斜面６’の下方が最初にスライドコア１’の傾斜面５’の上方に対して当接され、その後両傾斜面の当接面積が漸次増加するよう構成されている。
【０００５】
また、成形金型の中には、可動側型に対してスライドコアを摺動可能に保持するために、ガイド凸部１ａ’（図６）とガイド凹部１２ａ（図２を参照）を対応させて形成し、かかるガイド凸部１ａ’をガイド凹部１２ａに摺動可能に係合させて実質的に支持させるよう構成したものがある。
【０００６】
なお、成形金型の中には、成形品の形状や成形条件などの要請から、図６に示すように、スライドコア１’の形状が、その実質的に支持される部分であるガイド凸部１ａ’の摺動方向の長さＬ’に対して、実質的に支持されるガイド凸部１ａ’の下面からロッキングブロック３’が最初に当接される上部までの高さＨ’が大きくなるように成形されたものがある。
【０００７】
【発明が解決しようとする課題】
しかしながら、図６に示した上記従来の技術にあっては、スライドコア１’のガイド凸部１ａ’の摺動方向の長さＬ’に対する実質的な高さＨ’の比（Ｌ’／Ｈ’）の値が経験的に１．８以下となると、ロッキングブロック３’の先端がスライドコア１’の上方に当接することによってスライドコア１’が傾いてその摺動が阻害され作動不良となるという問題があった。そして、この比Ｌ’／Ｈ’の値が１．８を上回るようにするためには、スライドコア１’の摺動方向の長さＬ’を大きくするように設定することも考えられるが、このように設定すると、スライドコア１’を設けるために必要なスペースが大きくなり、成形金型の小型化を図ることができないという問題が発生する。また、上記長さに対する高さの比Ｌ’／Ｈ’の値が１．８を上回るようにするためには、スライドコア１’の高さＨ’を小さくするように設定することも考えられるが、このように設定すると、傾斜面５’、６’の角度を変更する必要が発生し、スライドコア１’を所定の位置に位置決めすることなどが困難となるなどの問題が発生する。
【０００８】
本発明は、上述した問題に鑑みてなされたもので、スライドコアの摺動方向の長さＬに対する実質的な高さＨの比（Ｌ／Ｈ）の値が小さくなる場合であっても、ロッキングブロックに当接されることによりスライドコアが傾くことなくスムーズに摺動して確実に作動させることができる成形金型を提供することを目的とする。
【０００９】
【課題を解決するための手段】
請求項１に係る発明は、上記目的を達成するため、スライドコアと、該スライドコアを型開閉に伴って摺動させるためのスライド機構とを備え、スライド機構は、成形時にスライドコアを摺動させて所定の位置に位置決めするためのロッキングブロックを有しており、スライドコアとロッキングブロックには、型閉じに伴って互いに当接される傾斜面がそれぞれ形成されてなる成形金型であって、ロッキングブロックの傾斜面が最初にスライドコアの傾斜面の支持基端部近傍に対して当接するように、前記スライドコアとロッキングブロックを成形してなることを特徴とするものである。
【００１０】
請求項１の発明では、スライドコアとロッキングブロックの傾斜面には、成形を開始すべく型閉じするときに、ロッキングブロックの傾斜面が最初にスライドコアの傾斜面の支持基端部近傍に対して当接するように逃がし部が形成され、型締時には互いの傾斜面が略全面的に当接されるような形状に成形されている。そのため、スライドコアは、その摺動方向の長さＬに対する実質的な高さＨの比（Ｌ／Ｈ）が小さくなる場合であっても、傾くことなく安定して摺動する。そして、型閉じが完了して型締を行うときには、スライドコアとロッキングブロックの傾斜面が互いに略全面的に当接された状態となり、スライドコアはキャビティ内への射出圧力などに抗して所定の位置に安定して位置決め維持される。
【００１１】
【発明の実施の形態】
本発明の成形金型の実施の一形態を図１〜図５に基づいて詳細に説明する。なお、同一符号は、同様または相当する部分を示すものとする。
本発明の成形金型は、概略、スライドコア１と、このスライドコア１を型開閉に伴って摺動させるためのスライド機構２とを備えており、スライド機構２は、成形時にスライドコア１を摺動させて所定の位置に位置決めするためのロッキングブロック３を有しており、スライドコア１とロッキングブロック３には、型閉じに伴って互いに当接される傾斜面５、６がそれぞれ形成されてなるもので、ロッキングブロック３の傾斜面６の先端部分Ｓａ２が最初にスライドコア１の傾斜面５の支持基端部１ａ近傍の部分Ｓａ１に対して当接してスライドコア１の摺動を開始させるように、スライドコア１とロッキングブロック３の傾斜面５、６に逃がし部５ａ、６ａを成形し、型閉じが完了したとき（型締時）に、両傾斜面５、６が略全面にわたって当接されるように成形してなるものである。
【００１２】
図３〜５に示すように、この実施の形態では、スライドコア１が可動側金型１１に配設されたスライドコア入子１２に担持されており、ロッキングブロック３が固定側金型２１に固設されている。図２に示すように、スライドコア１の両側方にはガイド凸部１ａが形成されており、スライドコア入子１２にはガイド凹部１２ａがガイド凸部１ａと対応するように形成されている。スライドコア１のガイド凸部１ａがスライドコア入子１２のガイド凹部１２ａに摺動可能に係合されており、スライドコア１は、そのガイド凸部１ａがスライドコア入子１２のガイド凹部１２ａで実質的に支持されている。そして、この実施の形態におけるスライドコア１は、図１に示すように、実質的にスライドコア入子１２に支持されている移動方向の長さ（すなわち、ガイド凸部１ａの長さ）Ｌに対するガイド凸部１ａの下面から上部までの高さＨの比率Ｌ／Ｈが１．８以下となっており、スライドコア１の移動するストロークが比較的小さく設定されている。スライドコア入子１２の底部には、後述する戻し機構７のスプリングガイドピン固定用プレート３１がボルト３２によって立設されている。スライドコア１の後退側面（図３〜５の右側）の下方には、スライドコア１の後退位置を規制してロッキングブロック３を挿入するための空間Ｋを確保するための突起１ｂがスプリングガイドピン固定用プレート３１の両側に位置するように一対で形成されている。さらにこの実施の形態では、スライドコア１には、アンダカット部１ｃが形成されている。
【００１３】
ロッキングブロック３は、固定側金型２１の可動側金型１１と対向する側の面であって、スライドコア１の突起１ｂにより可動側金型１１との間に形成される空間Ｋにその先端を進入させることができる位置に、ボルト２２によって固設されている。
【００１４】
スライド機構は、スライドコア１とロッキングブロック３の対向面に形成されて型閉じに伴ってスライドコア１を図３〜５の左方に前進移動させるための傾斜面５、６と、型開きに伴ってスライドコア１を図３〜５の右方に後退移動させるための戻し機構７と、を備えてなる。
【００１５】
戻し機構７は、スライドコア入子１２にボルト３２によって取付けられたスプリングガイドピン固定用プレート３１と、スライドコア１に挿通されて先端のネジ部３３ｂがスプリングガイドピン固定用プレート３１に螺合されたスプリングガイドピン３３と、スライドコア１内に形成されたスプリング収容部１ｄには、スプリングガイドピン３３の頭部３３ａとの間に介装された圧縮バネ３４と、を備えてなる。型閉じによりスライドコア１が前進移動すると、圧縮バネ３４が収縮され、固定側金型２１から可動側金型１１が離間して型開きすると、圧縮バネ３４の復帰によりスライドコア１は後退移動される。
【００１６】
図１に示すように、ロッキングブロック３の傾斜面６には、逃がし部６ａがその幅方向略中央部であって、先端部から長さ方向の途中の所定の位置にわたって形成されている。また、図１および図２に示すように、スライドコア１の傾斜面５は、ロッキングブロック３の傾斜面６と対応して、逃がし部５ａがその幅方向両側縁であって、ガイド凸部１ａの高さから上方にわたって形成されている。
【００１７】
このように形斜面５、６が形成されていることにより、可動側金型１１を固定側金型２１に近づけて型閉じを行うと、これに伴ってロッキングブロック３の先端がスライドコア１と可動側金型１１のスライドコア入子１２との間に形成された空間Ｋに相対的に進入する。このとき、スライドコア１の傾斜面５の幅方向両側縁の上方に逃がし部５ａが形成されているため、ロッキングブロック３の傾斜面は、型閉じの当初においてはスライドコア１の上方に当接することはなく、スライドコア１の逃がし部５ａとロッキングブロック３の傾斜面６との間に隙間Ｑが、また、ロッキングブロック３の逃がし部６ａとスライドコア１の傾斜面５との間に隙間Ｒが、それぞれ形成されている。そして、ロッキングブロック３の傾斜面６の先端Ｓａ２が上端からスライドコア１の実質的に支持されているガイド凸部１ａの高さまで形成された逃がし部５ａを過ぎると、図３に示すように、スライドコア１の傾斜面５のガイド凸部１ａの近傍部分Ｓａ１に当接してスライドコア１を倒すことなく押圧し、戻し機構７の圧縮バネ３４に抗して摺動させる。
【００１８】
そして、さらに型閉じされると、上述した部分Ｓａ１、Ｓａ２の当接に加えて、図４に示すように、ロッキングブロック３の傾斜面６の幅方向略中央の逃がし部６ａが形成されていない上方部分Ｓａ４がスライドコア１の傾斜面５の逃がし部５ａが形成されていない幅方向略中央の上方の部分Ｓａ３に当接してスライドコア１を安定して押圧して摺動させる。なお、図３は図２におけるＩＩＩ‐ＩＩＩ断面を、図４および図５は図２におけるＩＶ‐ＩＶ断面を示したものであることに注意されたい。、
【００１９】
型閉じして所定の圧力で型締を行っているときには、図５に示すようにロッキングブロック３の傾斜面６とスライドコア１の傾斜面５との逃がし部６ａ、５ａが形成されていない部分Ｓａ１とＳａ２、Ｓａ３とＳａ４が略全面にわたって当接されて、キャビティＣ内に射出充填される溶融樹脂などの圧力によって型が開くことはなく、安定して型締めされる。
【００２０】
成形が完了すると、可動側金型１１を固定側金型２１から離間させて型開きを行う。このとき、スライドコア１は、戻し機構７の圧縮バネがスプリング収容部１ｄにはスプリングガイドピン３３の頭部３３ａとの間に介装されていることにより、後退移動する。
【００２１】
【発明の効果】
本発明によれば、スライドコアとロッキングブロックの傾斜面を、スライドコアの傾斜面の支持基端部近傍に対してロッキングブロックの傾斜面が最初に当接するように成形したことにより、スライドコアの摺動方向の長さに対する実質的な高さの比（Ｌ／Ｈ）の値が小さくなる場合であっても、ロッキングブロックに当接されることによりスライドコアが傾くことなくスムーズに摺動して確実に作動させることができる成形金型を提供することができる。
【図面の簡単な説明】
【図１】本発明の成形金型のスライドコアとロッキングブロックを示す斜視図である。
【図２】可動側型のスライドコア入子に担持されたスライドコアの正面図である
【図３】型閉じの当初の状態を説明するために示した図２のＩＩＩ‐ＩＩＩにおける断面図である。
【図４】図３の状態からさらに型閉じが進行したときの状態を説明するために示した図２におけるＩＶ‐ＩＶの断面図である。
【図５】型締め時の状態を説明するために示した図２のＩＶ‐ＩＶにおける断面図である。
【図６】従来の成形金型のスライドコアとロッキングブロックを示す斜視図である。
【符号の説明】
１      スライドコア
２      スライド機構
３      ロッキングブロック
５      スライドコアの傾斜面
５ａ    逃がし部
Ｓａ１  スライドコアの傾斜面の実質的な支持基端部の近傍部分
Ｓａ３  スライドコアの傾斜面の上方部分
６      ロッキングブロックの傾斜面
６ａ    逃がし部
Ｓａ２  ロッキングブロックの傾斜面の先端部分
Ｓａ４  ロッキングブロックの傾斜面の中間部分
【図１】
2005014517.tif 000003
【図２】
2005014517.tif 000004
【図３】
2005014517.tif 000005
【図４】
2005014517.tif 000006
【図５】
2005014517.tif 000007
【図６】
2005014517.tif 000008